(57)【要約】【課題】記録メディアに記録されたデータの秘匿性・安全性をより高める。【解決手段】位置検出部６２は、記録メディア４２の位置を検出し、使用者認証部６３は、データを使用する使用者を認証し、記録部６１は、領域を表す領域情報、および認証の成否と、データへの使用の制限の度合いを表すデータ保持レベルとが対応付けられているデータ保持レベルテーブル８４を記録し、コントローラ６６は、データ保持レベルテーブル８４において、位置検出部６２が検出した位置を含む領域情報、および使用者認証部６３の認証結果に対応付けられているデータ保持レベルに基づいて、使用者によるデータの使用の制限を制御する。本発明は、例えば、ビデオカメラなどの撮像装置に接続または装着される記録メディアに適用することができる。【選択図】図２
2009093449.tif 000002
【特許請求の範囲】
【請求項１】
情報処理装置から供給されたデータを記録する記録メディアにおいて、
前記記録メディアの位置を検出する位置検出手段と、
前記データを使用する使用者を認証する使用者認証手段と、
領域を表す領域情報、および認証の成否と、前記データへの使用の制限の度合いを表すデータ使用制限レベルとが対応付けられているデータ使用制限レベルテーブルを記録する記録手段と、
前記データ使用制限レベルテーブルにおいて、前記位置検出手段が検出した位置を含む前記領域情報、および前記使用者認証手段の認証結果に対応付けられている前記データ使用制限レベルに基づいて、前記使用者による前記データの使用の制限を制御するデータ使用制限制御手段と
を備える記録メディア。
【請求項２】
前記データ使用制限レベルテーブルは、前記データ単位、または複数の前記データを含むフォルダ単位で記録される
請求項１に記載の記録メディア。
【請求項３】
前記データ使用制限レベルには、
前記データの記録、再生、および編集が可能なレベルと、
前記データの再生のみが可能なレベルと、
前記データの記録、再生、および編集のいずれも不可能なレベルと、
前記データの削除がされるレベルと
が含まれる
請求項１に記載の記録メディア。
【請求項４】
情報処理装置から供給されたデータを記録する記録メディアにおけるデータ使用制限方法において、
前記記録メディアの位置を検出し、
前記データを使用する使用者を認証し、
領域を表す領域情報、および認証の成否と、前記データへの使用の制限の度合いを表すデータ使用制限レベルとが対応付けられているデータ使用制限レベルテーブルを記録し、
前記データ使用制限レベルテーブルにおいて、検出した位置を含む前記領域情報、および認証結果に対応付けられている前記データ使用制限レベルに基づいて、前記使用者による前記データの使用の制限を制御する
ステップを含むデータ使用制限方法。
【請求項５】
情報処理装置から供給されたデータを記録する記録メディアとして、コンピュータを機能させるプログラムにおいて、
前記記録メディアの位置を検出する位置検出手段と、
前記データを使用する使用者を認証する使用者認証手段と、
領域を表す領域情報、および認証の成否と、前記データへの使用の制限の度合いを表すデータ使用制限レベルとが対応付けられているデータ使用制限レベルテーブルを記録する記録手段と、
前記データ使用制限レベルテーブルにおいて、前記位置検出手段が検出した位置を含む前記領域情報、および前記使用者認証手段の認証結果に対応付けられている前記データ使用制限レベルに基づいて、前記使用者による前記データの使用の制限を制御するデータ使用制限制御手段
として、コンピュータを機能させるプログラム。
【発明の詳細な説明】
【技術分野】
【０００１】
本発明は、記録メディア、データ使用制限方法、およびプログラムに関し、特に、例えば、記録メディアに記録されたデータの秘匿性・安全性をより高めることができるようにする記録メディア、データ使用制限方法、およびプログラムに関する。
【背景技術】
【０００２】
GPS（Global Positioning System）などの位置検出手段を有する撮影装置において、撮影した画像と位置情報とを対応付けて、画像をグループ分類し、記録媒体に記録することで、画像の検索の効率化を図ったものがある（例えば、特許文献１参照）。
【０００３】
また、記録媒体は、一般的に、パスワードや指紋等による認証によってデータの秘匿性を維持することができるようになされている。
【０００４】
【特許文献１】特開２００１−２２８５２８号公報
【発明の開示】
【発明が解決しようとする課題】
【０００５】
しかしながら、記録媒体が盗まれ、パスワードが覗き見されたり、指紋をまねた擬似指紋が作成されてしまった場合には、記録媒体に記録されているデータは、容易に参照・改竄されてしまう。
【０００６】
また、従来、記録媒体自身に位置検出手段を設けて、記録媒体自身が認識した位置情報を利用して、例えば盗難等により、指定した場所以外への持ち出しを記録媒体自身が検出することで、データの秘匿性・安全性を高めるような機能を持つものはなかった。
【０００７】
本発明は、このような状況に鑑みてなされたものであり、記録メディアに記録されたデータの秘匿性・安全性をより高めることができるようにするものである。
【課題を解決するための手段】
【０００８】
本発明の一側面の記録メディア、またはプログラムは、情報処理装置から供給されたデータを記録する記録メディアであって、前記記録メディアの位置を検出する位置検出手段と、前記データを使用する使用者を認証する使用者認証手段と、領域を表す領域情報、および認証の成否と、前記データへの使用の制限の度合いを表すデータ使用制限レベルとが対応付けられているデータ使用制限レベルテーブルを記録する記録手段と、前記データ使用制限レベルテーブルにおいて、前記位置検出手段が検出した位置を含む前記領域情報、および前記使用者認証手段の認証結果に対応付けられている前記データ使用制限レベルに基づいて、前記使用者による前記データの使用の制限を制御するデータ使用制限制御手段とを備える記録メディア、または記録メディアとして、コンピュータを機能させるプログラムである。
【０００９】
前記記録メディアにおいて、前記データ使用制限レベルテーブルは、前記データ単位、または複数の前記データを含むフォルダ単位で記録されるようにすることができる。
【００１０】
前記データ使用制限レベルには、前記データの記録、再生、および編集が可能なレベルと、前記データの再生のみが可能なレベルと、前記データの記録、再生、および編集のいずれも不可能なレベルと、前記データの削除がされるレベルとが含まれるようにできる。
【００１１】
本発明の一側面のデータ使用制限方法は、情報処理装置から供給されたデータを記録する記録メディアにおけるデータ使用制限方法であって、前記記録メディアの位置を検出し、前記データを使用する使用者を認証し、領域を表す領域情報、および認証の成否と、前記データへの使用の制限の度合いを表すデータ使用制限レベルとが対応付けられているデータ使用制限レベルテーブルを記録し、前記データ使用制限レベルテーブルにおいて、検出した位置を含む前記領域情報、および認証結果に対応付けられている前記データ使用制限レベルに基づいて、前記使用者による前記データの使用の制限を制御するステップを含む。
【００１２】
本発明の一側面においては、記録メディアの位置が検出され、データを使用する使用者が認証され、領域を表す領域情報、および認証の成否と、データへの使用の制限の度合いを表すデータ使用制限レベルとが対応付けられているデータ使用制限レベルテーブルが記録され、データ使用制限レベルテーブルにおいて、位置検出手段が検出した位置を含む領域情報、および使用者認証手段の認証結果に対応付けられているデータ使用制限レベルに基づいて、使用者によるデータの使用の制限が制御される。
【発明の効果】
【００１３】
本発明の一側面によれば、記録メディアにデータを記録することができ、特に、記録メディアに記録されたデータの秘匿性・安全性をより高めることができる。
【発明を実施するための最良の形態】
【００１４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１５】
本発明の一側面の記録メディア、またはプログラムは、情報処理装置から供給されたデータを記録する記録メディアであって、前記記録メディアの位置を検出する位置検出手段（例えば、図２の位置検出部）と、前記データを使用する使用者を認証する使用者認証手段（例えば、図２の使用者認証部６３）と、領域を表す領域情報、および認証の成否と、前記データへの使用の制限の度合いを表すデータ使用制限レベルとが対応付けられているデータ使用制限レベルテーブルを記録する記録手段（例えば、図２の記録部６１）と、前記データ使用制限レベルテーブルにおいて、前記位置検出手段が検出した位置を含む前記領域情報、および前記使用者認証手段の認証結果に対応付けられている前記データ使用制限レベルに基づいて、前記使用者による前記データの使用の制限を制御するデータ使用制限制御手段（例えば、図２のコントローラ６６）とを備える記録メディア（例えば、図２の記録メディア４２）、または記録メディアとして、コンピュータを機能させるプログラムである。
【００１６】
本発明の一側面のデータ使用制限方法は、情報処理装置から供給されたデータを記録する記録メディアにおけるデータ使用制限方法であって、前記記録メディアの位置を検出し（例えば、図１０のステップＳ３３）、前記データを使用する使用者を認証し（例えば、図１０のステップＳ３２）、領域を表す領域情報、および認証の成否と、前記データへの使用の制限の度合いを表すデータ使用制限レベルとが対応付けられているデータ使用制限レベルテーブルを記録し、前記データ使用制限レベルテーブルにおいて、検出した位置を含む前記領域情報、および認証結果に対応付けられている前記データ使用制限レベルに基づいて、前記使用者による前記データの使用の制限を制御するステップ（例えば、図１０のステップＳ３５、ステップＳ３８、ステップＳ４０、およびステップＳ４２）を含む。
【００１７】
以下、本発明の実施の形態について図を参照して説明する。
【００１８】
図１は、本発明を適用したビデオカメラの一実施の形態の構成例を示すブロック図である。
【００１９】
図１において、ビデオカメラ１１は、撮像素子３１、画像データ処理部３２．伝送送受信制御部３３、通信方法選択スイッチ３４、スイッチ制御部３５、第１のアンテナ３６、メディア装着部３７、メディア検出部３８、第２のアンテナ３９、接続端子４０、接続検出部４１、記録メディア４２、表示部４３、およびデータ入力部４４から構成される。
【００２０】
撮像素子３１は、CCD（Charge Coupled Device）またはCMOS（Complementary Metal-Oxide Semiconductor）センサなどの、光電変換素子および光電変換素子に被写体の光学的な画像を結像させる光学系などからなり、受光した被写体の画像に対応する光を電気信号である画像データに変換し、画像データ処理部３２に供給する。
【００２１】
画像データ処理部３２は、撮像素子３１から供給された画像データに、所定の画像処理を実行して、伝送送受信制御部３３に供給する。画像データ処理部３２は、画像データに対して、拡大、縮小、変倍などを含む画像の変形、回転、色反転、合成、一部置き換えなどのほかに、例えば、画像の左右反転や上下反転などの処理を実行することが可能であり、さらに、カラー画像をグレースケール表示したり、コントラスト、明度、彩度などを変更したり、２値化したり、画像データに対してフィルタリングやマスクを施す処理を実行することなども可能である。
【００２２】
伝送送受信制御部３３は、第１のアンテナ３６、第２のアンテナ３９、または接続端子４０のうちのいずれか１つを介して、記録メディア４２に供給または送信するために、画像データ処理部３２から供給された画像データまたはデータ入力部４４から供給される情報を、通信方法選択スイッチ３４に供給する。
【００２３】
通信方法選択スイッチ３４は、スイッチ制御部３５からの指示に応じて、第１のアンテナ３６、第２のアンテナ３９、または接続端子４０のうちのいずれか１つを選択し、伝送送受信制御部３３と接続させる。
【００２４】
スイッチ制御部３５は、通信方法選択スイッチ３４に、第１のアンテナ３６、第２のアンテナ３９、または接続端子４０のうちのいずれか１つを選択するための指示を供給する。
【００２５】
より具体的には、スイッチ制御部３５は、メディア検出部３８から、記録メディア４２を装着可能なメディア装着部３７における記録メディア４２の装着を検出した旨の情報が供給されると、第１のアンテナ３６の選択の指示を、通信方法選択スイッチ３４に供給する。
【００２６】
また、スイッチ制御部３５は、接続検出部４１から、接続端子４０における記録メディア４２の接続を検出した旨の情報が供給されると、接続端子４０の選択の指示を、通信方法選択スイッチ３４に供給する。
【００２７】
さらに、スイッチ制御部３５は、メディア検出部３８から、メディア装着部３７における記録メディア４２の装着を検出した旨の情報が供給されず、かつ、接続検出部４１から、接続端子４０における記録メディア４２の接続を検出した旨の情報が供給されていないが、例えば、使用者によって操作される、図示せぬ操作入力部により、第２のアンテナ３９の選択を表す操作情報が入力されると、第２のアンテナ３９の選択の指示を、通信方法選択スイッチ３４に供給する。
【００２８】
第１のアンテナ３６は、メディア装着部３７に装着された記録メディア４２に対して情報の授受を行うための近接通信用のアンテナであり、記録メディア４２がメディア装着部３７に装着されることにより、近接して配置される１個の記録メディア４２とだけしか通信することができないように伝搬特性が制限された、例えばマイクロストリップラインアンテナからなる。
【００２９】
メディア装着部３７は、第１のアンテナ３６を介して通信可能な範囲に記録メディア４２が１個のみ着脱自在に装着されるようになされている。
【００３０】
メディア検出部３８は、メディア装着部３７に記録メディア４２が装着されていることを検出し、スイッチ制御部３５に、メディア装着部３７における記録メディア４２の装着を検出した旨の情報を供給する。
【００３１】
第２のアンテナ３９は、記録メディア４２に対して無線通信を用いて情報の授受を行うための近距離通信用のアンテナであり、例えば、UWB（Ultra Wide Band）通信や、IEEE（Institute of Electronic and Electronics）802.11bに準拠した無線通信を行うためのアンテナが用いられる。
【００３２】
接続端子４０は、例えば、USB（Universal serial Bus）端子、IEEE1394端子などの有線接続端子や、ブルートゥースなどの無線接続端子などからなり、記録メディア４２に接続される（無線などでは至近距離で通信がなされる）と共に、同様の規格の端子を有する機器に接続される。
【００３３】
接続検出部４１は、接続端子４０に記録メディア４２が接続されていることを検出し、スイッチ制御部３５に、接続端子４０における記録メディア４２の接続を検出した旨の情報を供給する。
【００３４】
記録メディア４２は、第１のアンテナ３６、第２のアンテナ３９、または接続端子４０のうちのいずれか１つを介して供給または送信されてくる各種の情報やデータを記録する。
【００３５】
表示部４３は、撮像素子３１で現在取得（撮像）されている画像信号に対応する画像（いわゆる、スルー画像）を表示する。また、表示部４３は、使用者により利用されるデータ入力用のGUI（Graphical User Interface）や、記録メディア４２に記録されているデータ等を表示する。
【００３６】
データ入力部４４は、図示せぬ操作入力部に対する使用者の操作に応じて、その操作内容を示す情報を各部に供給する。
【００３７】
また、データ入力部４４は、ビデオカメラ１１および記録メディア４２（に記録されているデータ）を使用する使用者を特定するための使用者情報の入力を受け、その使用者情報を伝送送受信制御部３３に供給する。ここで、使用者情報としては、例えば、指紋パターンなどの生体情報、図示せぬ非接触カードリーダにより読み込まれる使用者ID（Identification）、図示せぬキーボードから入力されるパスワード等がある。
【００３８】
さらに、データ入力部４４は、記録メディア４２を識別するための識別情報の入力を受け、その識別情報を伝送送受信制御部３３に供給する。
【００３９】
また、データ入力部４４は、記録メディア４２の位置に応じた、記録メディア４２に記録されているデータの使用の制限の度合いを表すデータ保持レベルに関する設定情報の入力を受け、伝送送受信制御部３３に供給する。
【００４０】
なお、データ保持レベルの詳細については後述する。
【００４１】
また、伝送送受信制御部３３に供給された使用者情報、識別情報、およびデータ保持レベルに関する設定情報は、伝送送受信制御部３３から記録メディア４２に送信される。
【００４２】
図２は、記録メディア４２の構成例を示すブロック図である。
【００４３】
図２において、記録メディア４２は、通信方法選択スイッチ５１、スイッチ制御部５２、装着検出スイッチ５３、第１のアンテナ５４、第２のアンテナ５５、接続端子５６、接続検出部５７、伝送送受信制御部５８、アクセス表示LED（Light Emitting Diode）５９、識別情報記憶部６０、記録部６１、位置検出部６２、使用者認証部６３、使用者認証状況表示LED６４、使用者認証状態継続要求ボタン６５、コントローラ６６、ワークメモリ６７、バス６８、タイマ６９、およびバッテリ７０から構成される。
【００４４】
図２の記録メディア４２において、伝送送受信制御部５８、記録部６１、位置検出部６２、使用者認証部６３、コントローラ６６、ワークメモリ６７、およびタイマ６９は、バス６８を介して接続されている。
【００４５】
通信方法選択スイッチ５１は、スイッチ制御部５２からの指示に応じて、第１のアンテナ５４、第２のアンテナ５５、または接続端子５６のうちのいずれか１つを選択し、伝送送受信制御部５８と接続させる。
【００４６】
スイッチ制御部５２は、通信方法選択スイッチ５１に、第１のアンテナ５４、第２のアンテナ５５、または接続端子５６のうちのいずれか１つを選択するための指示を供給する。
【００４７】
より具体的には、スイッチ制御部５２は、装着検出スイッチ５３から、記録メディア４２のビデオカメラ１１のメディア装着部３７への装着を検出した旨の情報が供給されると、第１のアンテナ５４の選択の指示を、通信方法選択スイッチ５１に供給する。
【００４８】
また、スイッチ制御部５２は、接続検出部５７から、記録メディア４２が接続端子５６を介してビデオカメラ１１の接続端子４０へ接続されたことを検出した旨の情報が供給されると、接続端子５６の選択の指示を、通信方法選択スイッチ５１に供給する。
【００４９】
さらに、スイッチ制御部５２は、装着検出スイッチ５３から、ビデオカメラ１１のメディア装着部３７への装着を検出した旨の情報が供給されず、かつ、接続検出部５７から、接続端子５６におけるビデオカメラ１１の接続端子４０との接続を検出した旨の情報が供給されていないとき、第２のアンテナ５５の選択の指示を、通信方法選択スイッチ５１に供給する。
【００５０】
装着検出スイッチ５３は、ビデオカメラ１１のメディア装着部３７に記録メディア４２が装着されていることを検出し、スイッチ制御部５２に、ビデオカメラ１１への装着を検出した旨の情報を供給する。
【００５１】
第１のアンテナ５４は、記録メディア４２がビデオカメラ１１のメディア装着部３７に装着された状態で、ビデオカメラ１１と第１のアンテナ３６を介して情報の授受を行うための近接通信用のアンテナであり、記録メディア４２がビデオカメラ１１のメディア装着部３７に装着されることにより近接した状態となるビデオカメラ１１の第１のアンテナ３６と電磁的に結合する、例えばマイクロストリップラインアンテナからなる。
【００５２】
第２のアンテナ５５は、記録メディア４２がビデオカメラ１１と第２のアンテナ３９を介した無線通信によって情報の授受を行うための近距離通信用のアンテナであり、例えば、UWB通信や、IEEE802.11bに準拠した無線通信を行うためのアンテナが用いられる。
【００５３】
接続端子５６は、例えば、USB端子、IEEE1394端子などの有線接続端子や、ブルートゥースなどの無線接続端子などからなり、ビデオカメラ１１の接続端子４０に接続される（無線などでは至近距離で通信がなされる）と共に、同様の規格の端子を有する、例えばパーソナルコンピュータや再生装置などの機器に接続される。
【００５４】
接続検出部５７は、接続端子５６にビデオカメラ１１が接続されていることを検出し、スイッチ制御部５２に、接続端子５６におけるビデオカメラ１１の接続を検出した旨の情報を供給する。
【００５５】
伝送送受信制御部５８には、第１のアンテナ５４、第２のアンテナ５５、または接続端子５６で受信された各種の情報やデータが、通信方法選択スイッチ５１を介して供給される。
【００５６】
伝送送受信制御部５８は、通信方法選択スイッチ５１を介して画像データが供給された場合、その画像データを、バス６８を介して、記録部６１のデータ記録領域８１に供給する。
【００５７】
伝送送受信制御部５８は、通信方法選択スイッチ５１を介して使用者情報が供給された場合、その使用者情報を記録部６１の使用者認証情報記録領域８３に供給する。
【００５８】
伝送送受信制御部５８は、通信方法選択スイッチ５１を介してデータ保持レベルに関する設定情報が供給された場合、そのデータ保持レベルに関する設定情報を記録部６１のデータ保持レベルテーブル８４に供給する。
【００５９】
伝送送受信制御部５８は、通信方法選択スイッチ５１を介して識別情報が供給された場合、その識別情報を識別情報記憶部６０に供給する。
【００６０】
アクセス表示LED５９は、記録メディア４２がビデオカメラ１１から離れた状態で、第２のアンテナ５５を介してデータの授受を行っているときに点滅する。これにより、記録メディア４２の近くに、記録メディア４２と同様の複数の他の記録メディアがある場合に、ビデオカメラ１１が、どの記録メディアとデータを授受しているかを、使用者は、容易に認識することができる。
【００６１】
識別情報記憶部６０は、伝送送受信制御部５８から供給された識別情報を記憶する。
【００６２】
記録部６１は、バス６８を介して各部から供給される各種のデータを記録する。
【００６３】
記録部６１は、データ記録領域８１、位置情報記録領域８２、使用者認証情報記録領域８３、およびデータ保持レベルテーブル８４を含むように構成される。なお、データ記録領域８１、位置情報記録領域８２、使用者認証情報記録領域８３、およびデータ保持レベルテーブル８４はそれぞれ、別のメモリ等から構成されてもよい。
【００６４】
データ記録領域８１には、伝送送受信制御部５８からバス６８を介して供給される画像データ等が記録される。
【００６５】
位置情報記録領域８２には、位置検出部６２からバス６８を介して一定時間ごとに供給される位置情報が記録される。
【００６６】
使用者認証情報記録領域８３には、伝送送受信制御部５８からバス６８を介して供給される使用者情報が記録される。さらに、使用者認証情報記録領域８３には、使用者の認証が正しく行われたか否かを示す使用者認証フラグとが記録される。使用者認証フラグは、使用者認証部６３において、使用者の認証が行われることによってオンにされ、使用者の認証が行われてから所定の時間が過ぎるとオフにされる。
【００６７】
データ保持レベルテーブル８４には、伝送送受信制御部５８からバス６８を介して供給されるデータ保持レベルに関する設定情報、より具体的には、領域を表す領域情報、および使用者の認証の成否に対応付けられた、データ記録領域８１のデータへの使用の制限の度合いを表すデータ保持レベルが設定される。
【００６８】
位置検出部６２は、記録メディア４２の位置を、タイマ６９の示す一定時間ごとに検出し、その位置を示す位置情報を、バス６８を介して記録部６１に供給する。位置検出部６２は、例えば、GPS通信やUWB通信を用いて記録メディア４２の位置を検出する。詳細は図３乃至図６を用いて後述する。
【００６９】
使用者認証部６３は、記録メディア４２が装着または接続されているビデオカメラ１１から入力された、記録メディア４２（のデータ）を使用しようとする使用者の使用者情報と、記録部６１の使用者認証情報記録領域８３に記録されている使用者情報とに基づいて、その使用者の認証を行う。
【００７０】
より具体的には、例えば、使用者認証部６３は、記録メディア４２が装着または接続されているビデオカメラ１１に設けられた、使用者の指紋パターンを検出する機構を有する図示せぬ操作入力部において検出された指紋パターンと、使用者認証情報記録領域８３に予め記録されている使用者情報としての指紋パターンとを照合し、使用者の認証を行う。
【００７１】
また、例えば、使用者認証部６３は、記録メディア４２が装着または接続されているビデオカメラ１１に接続された非接触カードリーダに読み込まれた使用者IDと、使用者認証情報記録領域８３に予め記録されている使用者情報としての使用者IDとを照合し、使用者の認証を行う。
【００７２】
さらに、例えば、使用者認証部６３は、記録メディア４２が装着または接続されているビデオカメラ１１の図示せぬ操作入力部から入力されたパスワードと、予め使用者認証情報記録領域８３に記録されている使用者情報としてのパスワードとを照合し、使用者の認証を行う。
【００７３】
使用者認証部６３は、使用者の認証を正しく行うと、使用者認証情報記録領域８３の使用者認証フラグを、バス６８を介してオンにするとともに、使用者認証状況表示LED６４に点灯の指示を供給する。一方、使用者認証部６３は、使用者の認証を正しく行えなかった場合、使用者認証情報記録領域８３の使用者認証フラグを、バス６８を介してオフにするとともに、使用者認証状況表示LED６４に消灯の指示を供給する。
【００７４】
また、使用者認証部６３は、使用者の認証の処理が行われてから所定の時間が経過すると、使用者認証状況表示LED６４に点滅の指示を供給するとともに、使用者の認証がされている時間がまもなくタイムアウトになることを示すタイムアウト警告メッセージの表示の指示を、バス６８、伝送送受信制御部５８、並びに、第１のアンテナ５４、第２のアンテナ５５、または接続端子５６を介して、ビデオカメラ１１に供給または送信する。このとき、ビデオカメラ１１の表示部４３は、記録メディア４２から供給または送信されてきたタイムアウト警告メッセージの表示の指示に基づいて、タイムアウト警告メッセージを表示する。
【００７５】
使用者は、ビデオカメラ１１の表示部４３のタイムアウト警告メッセージ、または、使用者認証状況表示LED６４の点滅を確認した場合において、使用者の認証がされている状態である使用者認証状態を継続するときには、使用者認証状態継続要求ボタン６５を操作する。使用者によって使用者認証状態継続要求ボタン６５が操作されると、使用者認証状態継続要求ボタン６５から、使用者認証状態を継続する旨の情報が使用者認証部６３に供給される。そして、使用者の認証に成功している場合、使用者認証部６３は、使用者認証情報記録領域８３の使用者認証フラグをオンのままにし、使用者認証状況表示LED６４に点灯の指示を供給する。
【００７６】
さらに、使用者認証部６３は、使用者の認証の処理が行われてから所定の時間が経過し、さらに一定の時間が経過する間に使用者認証状態継続要求ボタン６５が操作されなかったか、または、ビデオカメラ１１との通信が不可能になると、使用者認証情報記録領域８３の使用者認証フラグを、バス６８を介してオフにするとともに、使用者認証状況表示LED６４に消灯の指示を供給する。
【００７７】
使用者認証状況表示LED６４は、使用者認証部６３からの指示により点灯、点滅、または消灯する。
【００７８】
使用者認証状態継続要求ボタン６５は、使用者が使用者認証状態を継続することを入力するときに操作される。使用者認証状態継続要求ボタン６５が押下されると、使用者認証状態継続要求ボタン６５から使用者認証部６３に、使用者認証状態を継続する旨の情報が供給される。
【００７９】
コントローラ６６は、データ保持レベルテーブル８４において、位置情報記録領域８２の位置情報を含む領域情報、使用者認証部６３の認証結果である、使用者認証情報記録領域８３の使用者認証フラグに対応付けられているデータ保持レベルに基づいて、使用者によるデータ記録領域８１のデータの使用の制限を制御する。
【００８０】
より具体的には、コントローラ６６は、一定時間ごとに記録される位置情報と使用者情報とに対応した、データ保持レベルテーブル８４におけるデータ保持レベルに応じて、データ記録領域８１に記録されているデータを、記録、再生、および編集が可能な状態にするか、再生のみ可能な状態とするか、記録、再生、および編集のいずれも不可能な状態としてプロテクトするか、または削除する。
【００８１】
ワークメモリ６７は、記録メディア４２の各部が動作するためのプログラムを一時的に格納したり、必要なデータを一時的に記憶したりする。
【００８２】
タイマ６９は、計時動作を行い、位置情報を記録するための一定時間ごとの割り込み処理を行ったり、使用者の認証の処理が行われてからの時間をカウントダウンしたりする。
【００８３】
バッテリ７０は、記録メディア４２の電源であり、記録メディア４２内の各部に電力を供給する。
【００８４】
図３は、位置検出部６２の第１の構成の例を示すブロック図である。
【００８５】
図３において、位置検出部６２は、GPS通信部９１を有する。
【００８６】
図３において、GPS通信部９１は、GPSアンテナ１０１、GPS信号処理部１０２、およびGPS情報取得部１０３から構成される。
【００８７】
GPSアンテナ１０１は、図示せぬGPS衛星から送信されてくるGPS信号を受信する。
【００８８】
GPS信号処理部１０２は、GPSアンテナ１０１で受信されたGPS信号から、記録メディア４２の現在の位置の緯度、経度、高度などのGPS受信データを算出する。
【００８９】
GPS情報取得部１０３は、GPS信号処理部１０２からGPS受信データを取得し、位置情報として、記録部６１（図２）に供給する。
【００９０】
図３のGPS通信部９１によれば、特に屋外において、記録メディア４２の位置を検出することができる。
【００９１】
図４は、位置検出部６２の第２の構成の例を示すブロック図である。
【００９２】
図４において、位置検出部６２は、UWB通信部１１１を有する。
【００９３】
UWB通信部１１１は、UWBアンテナ１２１、UWB PHY（物理）層処理部１２２、UWB MAC(Media Access Control)層処理部１２３、UWB DLC(Data Link Control)層処理部１２４、およびUWB情報算出部１２５から構成される。
【００９４】
UWBアンテナ１２１は、インパルス信号の送受信を行う。
【００９５】
UWB PHY層処理部１２２は、伝送信号の変復調処理、ベースバンド信号の変復調処理、同期処理、伝搬路測定、並びに測距を行う。
【００９６】
UWB MAC層処理部１２３は、アクセス制御や伝送レートの制御を行なう。
【００９７】
UWB DLC層処理部１２４は、隣接ノード管理や暗号化、認証処理などを行なう。
【００９８】
UWB情報算出部１２５は、UWB PHY層処理部１２２乃至UWB DLC層処理部１２４によって行われるUWB通信の結果から、記録メディア４２の位置を算出する。
【００９９】
図４のUWB通信部１１１によれば、記録メディア４２とビデオカメラ１１とが、パケットの送受信を行うことで、記録メディア４２とビデオカメラ１１との間の距離を求めることができる。さらに、屋内などの閉空間において、少なくとも２個の、UWB通信を行う通信装置の位置を固定することで、その閉空間における記録メディア４２の２次元的位置を特定し、検出することができる。詳細は、図６を用いて後述する。
【０１００】
図５は、位置検出部６２の第３の構成の例を示すブロック図である。
【０１０１】
図５において、位置検出部６２は、通信部１３１を有する。
【０１０２】
通信部１３１は、図３で説明したGPS通信部９１、図４で説明したUWB通信部１１１、および、コントローラ６６の制御に基づいて、GPS通信部９１またはUWB通信部１１１のいずれか１つを選択するスイッチ１５１から構成される。
【０１０３】
図５の通信部１３１によれば、スイッチ１５１がGPS通信部９１およびUWB通信部１１１のいずれか１つを適宜選択することで、屋外でも屋内でも記録メディア４２の位置を検出することができる。
【０１０４】
図６は、UWB通信を用いた、記録メディア４２の位置の検出について説明する図である。
【０１０５】
図６に示されるように、長方形のスタジオ１６１の四隅であって、それぞれの位置情報が予めわかっている位置に、UWB発信機１６２−１乃至１６２−４が配置されている。UWB発信機１６２−１乃至１６２−４は、それぞれの識別情報を含むパケットを一定時間ごとに送信するUWBビーコンとして動作する。スタジオ１６１内に位置する記録メディア４２の位置は、記録メディア４２の位置検出部６２とUWB発信機１６２−１乃至１６２−４とがパケットの送受信を行うことにより、記録メディア４２と、UWB発信機１６２−１乃至１６２−４のうちの少なくとも２個のUWB発信機それぞれとの間の距離を求めることができれば、スタジオ１６１内の記録メディア４２の位置を検出することができる。
【０１０６】
すなわち、図６において、UWB発信機１６２−１と記録メディア４２との間の距離ａは、UWB通信を用いて求めることができる。同様に、UWB発信機１６２−２と記録メディア４２との間の距離ｂも、UWB通信を用いて求めることができる。また、UWB発信機１６２−１とUWB発信機１６２−２との間の距離ｃは、それぞれの位置が予めわかっているので既知である。
【０１０７】
このようにして求められた距離ａ，ｂ，ｃと、余弦定理（cosA=(b2+c2-a2)/2bc，cosB=(c2+a2-b2)/2ca）を用いることで、角度ＡおよびＢを求めることができ、記録メディア４２の位置を検出することができる。
【０１０８】
なお、高さ方向を加えた、３次元的位置を検出する場合には、UWB発信機を高さ方向にも複数配置することで、その３次元的位置を検出することができる。
【０１０９】
次に、図７および図８を参照して、記録メディア４２の位置に応じたデータの使用の制限について説明する。
【０１１０】
図７は、使用者が記録メディア４２を使用するビルの１フロアの間取り図の一例である。
【０１１１】
図７の間取り図によれば、通路に対して、図中、上側に、スタジオＡと来客応接室とが隣接して配置されており、スタジオＡおよび来客応接室から通路をはさんだ向かい側（図中、下側）には、スタジオＢと倉庫とが隣接して配置されている。また、通路の突き当り（図中、右側）には、スタジオＣが配置されている。
【０１１２】
ここで、図７の間取り図で示されるフロアにおいて、例えば、スタジオＡの、図７における左上隅の床面上の点を原点として、図７の下方向をX軸方向、図７の右方向をY軸方向、床面から天井方向をZ軸方向とする３次元座標系を定義する。
【０１１３】
図８は、記録メディア４２が記録している、図７の間取り図で示されるフロアについてのデータ保持レベルテーブル８４の例を示す図である。
【０１１４】
図８において、X0，Y0、およびZ0のそれぞれは、スタジオＡ、スタジオＢ、スタジオＣ、通路、倉庫、および来客応接室の各部屋の、３次元座標系における始点を表しており、X1，Y1、およびZ1のそれぞれは、各部屋の３次元座標系における終点を表している。
【０１１５】
ここで、図７のスタジオＡ、…の各部屋の形状が直方体であるとすると、各部屋の３次元座標系における始点とは、３次元座標系において、長方体の形状である各部屋の領域のうちの原点から最も近い頂点を示し、各部屋の３次元座標系における終点とは、３次元座標系において、各部屋の領域のうちの原点から最も遠い頂点を示す。つまり、３次元座標系における各部屋の領域は、直方体の１つの頂点である始点の座標と、その対角に位置する終点の座標とによって特定される。
【０１１６】
図８の「座標範囲指定」と網掛けされた範囲には、３次元座標系における各部屋の領域を表す座標が設定される。また、図８において、「屋外」は、フロア内の座標として設定される領域以外の全ての座標を対象とする。
【０１１７】
図８の右から２列目には、記録メディア４２において、使用者の認証が正しく行われた本人認証時のデータ保持レベルが示されており、各部屋に対応する領域に応じて、そのデータ保持レベルを示す値が設定される。また、図８の右から１列目には、記録メディア４２において、使用者の認証が正しく行われなかった使用者不明時のデータ保持レベルを示しており、各部屋に対応する領域に応じて、本人認証時とは異なるデータ保持レベルを示す値が設定される。
【０１１８】
ここで、データ保持レベルを示す値としては、例えば、０乃至３の範囲の整数値が設定される。
【０１１９】
データ保持レベルが「３」である場合は、データ記録領域８１のデータは読み書き可能な状態とされ、データ保持レベルが「２」である場合は、データ記録領域８１のデータは再生のみ可能な状態とされる。データ保持レベルが「１」である場合は、データ記録領域８１のデータはプロテクトされ、データ保持レベルが「０」である場合は、データ記録領域８１のデータは消去される。
【０１２０】
図７および図８の例によれば、例えば、来客応接室において、使用者認証部６３が使用者の認証に成功した場合（本人認証時）、来客応接室の領域に対応付けられている本人認証時のデータ保持レベルは「２」であるので、コントローラ６６は、データ記録領域８１のデータを再生のみ可能な状態とする。したがって、使用者は、記録メディア４２のデータを再生（参照）することはできるが、編集や削除することはできない。
【０１２１】
また、来客応接室において、使用者認証部６３が使用者の認証に失敗した場合（使用者不明時）、来客応接室の領域に対応付けられている使用者不明時のデータ保持レベルは「１」であるので、コントローラ６６は、データ記録領域８１のデータをプロテクトする。すなわち、使用者は、記録メディア４２のデータの編集等はもちろん、再生（参照）さえもすることができない。
【０１２２】
ここで、例えば、通路には監視カメラが設置されているとして、使用者が、通路において記録メディア４２を落とした場合、そのフロア内の通路であれば、誰が拾ったとしても、記録メディア４２のデータを消去する程のセキュリティは必要ない。したがって、通路においては、使用者の認証の成否に関わらず、データ保持レベルを「１」とし、記録メディア４２を拾った使用者は、記録メディア４２のデータの編集等はもちろん、再生（参照）さえもすることができないが、データを消去することもできないようにする。
【０１２３】
また、例えば、スタジオＢおよび倉庫は、監視カメラの設置がされておらず、部外者が頻繁に出入りする部屋であるとする。また、屋外にはもちろん部外者がいる。そのような場所では、認証された使用者であったとしても、データを再生するのは好ましくない。また、部外者が記録メディア４２を拾った場合には、データのセキュリティはより高いほうが望ましい。したがって、スタジオＢ、倉庫、および屋外においては、使用者の認定に成功した場合、データ保持レベルを「１」とし、記録メディア４２のデータ編集等はもちろん、再生（参照）さえもすることができないが、データを消去することもできないようにするとともに、使用者の認定に失敗した場合、データ保持レベルを「０」とし、記録メディア４２のデータは消去される。
【０１２４】
さらに、例えば、記録メディア４２が盗まれた場合でも、記録メディア４２の位置に応じたデータ保持レベルによって、記録されているデータの秘匿性は維持される。
【０１２５】
このように、データ保持レベルテーブル８４によれば、記録メディア４２の位置（領域）および使用者の認証の成否と、記録メディア４２のデータのデータ保持レベル（セキュリティレベル）とを対応付けることができる。また、データ保持レベルテーブル８４は、データ使用制限レベルテーブルは、データ単位、または複数の前記データを含むフォルダ単位で記録されるようにすることができる。
【０１２６】
次に、記録メディア４２の初期化の処理について説明する。
【０１２７】
図９は、記録メディア４２の初期化の処理を説明するフローチャートである。
【０１２８】
記録メディア４２の初期化の処理は、記録メディア４２がビデオカメラ１１に接続され、通信可能な状態で、ビデオカメラ１１の図示せぬ操作入力部が使用者によって操作されることによって、記録メディア４２の初期化の指示が、ビデオカメラ１１から記録メディア４２に供給されると開始される。このとき、ビデオカメラ１１の伝送送受信制御部３３は、使用者によって入力された識別情報を、記録メディア４２に送信する。
【０１２９】
ステップＳ１１において、記録メディア４２の伝送送受信制御部５８は、ビデオカメラ１１の伝送送受信制御部３３から送信されてきた識別情報を受信して、バス６８を介して、識別情報記憶部６０に供給する。
【０１３０】
ステップＳ１２において、記録メディア４２の伝送送受信制御部５８は、ビデオカメラ１１において使用者に入力され、送信されてきた使用者情報、およびデータ保持レベルに関する設定情報を受信し、バス６８を介して記録部６１に供給する。記録部６１は、伝送送受信制御部５８から供給された、図８のデータ保持レベルテーブル８４に用いられる使用者情報、およびデータ保持レベルに関する設定情報を、それぞれ、使用者認証情報記録領域８３およびデータ保持レベルテーブル８４に記録し、処理は終了する。
【０１３１】
また、記録メディア４２を特定のビデオカメラ１１との組合せでしか動作させない場合には、ステップＳ１２において、ビデオカメラ１１が、そのビデオカメラ１１の製造番号等の機器特定IDを送信し、記録メディア４２の伝送送受信制御部５８が受信し、記録部６１が記録するようにしてもよい。
【０１３２】
上述した初期化の処理は、記録メディア４２が最初に使用されるか、または、記録メディア４２に記録されている使用者情報、データ保持レベルテーブル８４を変更するときに実行される。
【０１３３】
また、記録メディア４２の初期化の処理は、記録メディア４２に接続されているビデオカメラ１１が使用者によって操作されることで実行されるようにしたが、記録メディア４２が、専用のアプリケーションがインストールされたパーソナルコンピュータなどに接続され、そのパーソナルコンピュータが使用者によって操作されることで実行されてもよい。
【０１３４】
図１０は、記録メディア４２における、データの使用制限の処理を説明するフローチャートである。
【０１３５】
なお、以下の説明では、データの使用制限の処理は、ビデオカメラ１１との通信が可能な状態で行われることとし、使用制限の対象となるデータは、記録部６１のデータ記録領域８１に記録されている個々のデータであるものとする。
【０１３６】
ステップＳ３１において、使用者認証部６３は、使用者情報がバス６８を介して供給されたかを判定する。
【０１３７】
ステップＳ３１において、使用者情報が供給されたと判定された場合、すなわち、例えば、記録メディア４２のデータを使用しようとする使用者が、図示せぬ操作入力部を操作することにより、使用者情報を入力し、その使用者情報が、ビデオカメラ１１から供給された場合、処理は、ステップＳ３２に進み、使用者認証部６３は、ビデオカメラ１１から供給された使用者情報と、記録部６１の使用者認証情報記録領域８３に記録されている使用者情報とに基づいて、記録メディア４２のデータを使用しようとする使用者の認証を行う。使用者認証部６３は、認証が成功すると、使用者認証情報記録領域８３の使用者認証フラグをオンにするとともに、使用者認証状況表示LED６４に点灯の指示を供給し、処理はステップＳ３３に進む。
【０１３８】
また、ステップＳ３２において、使用者認証部６３は、認証が失敗した場合、使用者認証フラグをオフにするとともに、使用者認証状況表示LED６４に消灯の指示を供給し、処理はステップＳ３３に進む。
【０１３９】
一方、ステップＳ３１において、使用者情報の供給がされていないと判定された場合、使用者情報の供給がされるまで、ステップＳ３１の処理を繰り返す。
【０１４０】
ステップＳ３３において、位置検出部６２は、記録メディア４２の位置を、タイマ６９の示す一定時間ごとに検出し、その位置を示す位置情報を記録部６１の位置情報記録領域８２に供給して、処理はステップＳ３４に進む。
【０１４１】
ステップＳ３４において、コントローラ６６は、データ保持レベルテーブル８４に基づいて、位置情報記録領域８２に記録されている位置情報と、使用者認証情報記録領域８３の使用者認証フラグで示される使用者認証の結果に対応するデータ保持レベルが「０」であるかを判定する。
【０１４２】
ここで、使用者認証情報記録領域８３の使用者認証フラグがオンにされている場合、すなわち、使用者の認証に成功した場合、コントローラ６６は、図８に示すようなデータ保持レベルテーブル８４において、本人認証時のデータ保持レベルを参照する。また、使用者認証情報記録領域８３の使用者認証フラグがオフにされている場合、すなわち、使用者の認証に失敗した場合、コントローラ６６は、図８に示すようなデータ保持レベルテーブル８４において、使用者不明時のデータ保持レベルを参照する。
【０１４３】
ステップＳ３４において、データ保持レベルが「０」である場合、処理はステップＳ３５に進み、コントローラ６６は、データ記録領域８１に記録されているデータを消去する。その後、処理はステップＳ３６に進み、コントローラ６６は、データ記録領域８１に記録されている全データが消去されたかを判定する。
【０１４４】
ステップＳ３６において、データ記録領域８１に記録されている全データが消去されたと判定された場合、処理は終了する。
【０１４５】
一方、ステップＳ３６において、データ記録領域８１に記録されている全データが消去されていないと判定された場合、処理はステップＳ４４に進む。
【０１４６】
一方、ステップＳ３４において、データ保持レベルが「０」でない場合、処理はステップＳ３７に進む。
【０１４７】
ステップＳ３７において、コントローラ６６は、データ保持レベルテーブル８４に基づいて、位置情報記録領域８２に記録されている位置情報と、使用者認証情報記録領域８３の使用者認証フラグで示される使用者認証の結果に対応するデータ保持レベルが「１」であるかを判定する。データ保持レベルが「１」である場合、処理はステップＳ３８に進み、コントローラ６６は、データ記録領域８１に記録されているデータを読み書きできないようにプロテクトする。その後、処理はステップＳ４４に進む。
【０１４８】
一方、ステップＳ３７において、データ保持レベルが「１」でない場合、処理はステップＳ３９に進む。
【０１４９】
ステップＳ３９において、コントローラ６６は、データ保持レベルテーブル８４に基づいて、位置情報記録領域８２に記録されている位置情報と、使用者認証情報記録領域８３の使用者認証フラグで示される使用者認証の結果に対応するデータ保持レベルが「２」であるかを判定する。データ保持レベルが「２」である場合、処理はステップＳ４０に進み、コントローラ６６は、データ記録領域８１に記録されているデータを再生のみ可能な状態にする。その後、処理はステップＳ４４に進む。
【０１５０】
一方、ステップＳ３９において、データ保持レベルが「２」でない場合、処理はステップＳ４１に進む。
【０１５１】
ステップＳ４１において、コントローラ６６は、データ保持レベルテーブル８４に基づいて、位置情報記録領域８２に記録されている位置情報と、使用者認証情報記録領域８３の使用者認証フラグで示される使用者認証の結果に対応するデータ保持レベルが「３」であるかを判定する。データ保持レベルが「３」である場合、処理はステップＳ４２に進み、コントローラ６６は、データ記録領域８１に記録されているデータを読み書き可能な状態にする。その後、処理はステップＳ４４に進む。
【０１５２】
一方、ステップＳ４１において、データ保持レベルが「３」でない場合、すなわち、位置検出部６２の位置の検出の処理における通信エラーなどによって、コントローラ６６が、位置検出部６２が検出した位置情報がデータ保持レベルテーブル８４においてどの使用領域に該当するか判定できない場合、処理はステップＳ４３に進む。
【０１５３】
ステップＳ４３において、コントローラ６６は、前のデータの使用制限の状態を維持し、処理は、ステップＳ４４に進む。
【０１５４】
ステップＳ４４において、伝送送受信制御部５８は、ビデオカメラ１１との通信が不可能であるかを判定する。ステップＳ４４において、ビデオカメラ１１との通信が不可能であると判定された場合、処理はステップＳ４５に進む。
【０１５５】
ステップＳ４５において、使用者認証部６３は、使用者認証の結果を無効にする。より具体的には、使用者認証部６３は、使用者認証情報記録領域８３の使用者認証フラグがオンとされていた場合、使用者認証フラグをオフにするとともに、使用者認証状況表示LED６４に消灯の指示を供給し、処理はステップＳ３１に戻る。
【０１５６】
また、ステップＳ４５において、使用者認証情報記録領域８３の使用者認証フラグがオフとされていた場合には、使用者認証部６３は、使用者認証フラグをオフのまま、使用者認証状況表示LED６４を消灯のままとして、処理はステップＳ３１に戻る。
【０１５７】
なお、無線通信または非接触通信を行っているビデオカメラ１１と記録メディア４２とを遠ざけることで、記録メディア４２がビデオカメラ１１との通信が不可能になる場合、通信可能か通信不可能かになる境界の領域において、通信が不可能になるたびに認証の処理が頻繁に行われるのは使用者に煩わしさを感じさせるので、例えば、ビデオカメラ１１との通信が不可能となった時刻からの経過時間が一定の閾値以上になったときに、ステップＳ４４において通信不可能と判断するなど、時間の余裕を持たせるようにしてもよい。
【０１５８】
一方、ステップＳ４４において、ビデオカメラ１１との通信が可能であると判定された場合、処理はステップＳ４６に進み、使用者認証部６３は、使用者の認証の処理が行われてから所定の時間が経過したかを判定する。
【０１５９】
ステップＳ４６において、使用者の認証の処理が行われてから所定の時間は経過していないと判定された場合、処理はステップＳ３３に戻り、これ以降の処理が繰り返される。
【０１６０】
一方、ステップＳ４６において、使用者の認証の処理が行われてから所定の時間が経過したと判定された場合、使用者認証部６３は、使用者の認証の成否にかかわらず、使用者認証状況表示LED６４に点滅の指示を供給し、処理はステップＳ４７に進む。
【０１６１】
ステップＳ４７において、使用者認証部６３は、使用者の認証がされている時間がまもなくタイムアウトになることを示すタイムアウト警告メッセージの表示の指示を、バス６８、伝送送受信制御部５８、並びに、第１のアンテナ５４、第２のアンテナ５５、または接続端子５６を介して、ビデオカメラ１１に供給または送信し、処理はステップＳ４８に進む。
【０１６２】
ステップＳ４８において、使用者認証部６３は、ステップＳ４６において所定の時間が経過してから、さらに一定の時間が経過する間に使用者認証状態継続要求ボタン６５が押下されたか否かを判定する。使用者認証状態継続要求ボタン６５が押下された場合、使用者認証部６３には、使用者認証状態継続要求ボタン６５から、使用者認証状態を継続する旨の情報が供給される。そして、使用者認証部６３は、ステップＳ３２で使用者の認証に成功している場合、使用者認証状況表示LED６４に点灯の指示を供給する。また、ステップＳ３２で使用者の認証に失敗している場合には、使用者認証部６３は、使用者認証状況表示LED６４に消灯の指示を供給する。すなわち、使用者認証状況表示LED６４は、点滅する前の状態に戻る。その後、処理はステップＳ４８からステップＳ３３に戻る。
【０１６３】
なお、ステップＳ４６においては、使用者の認証の成否にかかわらず、使用者認証状況表示LED６４を点滅させるようにしたが、使用者の認証に失敗した場合には、ステップＳ４６以降、使用者認証状況表示LED６４を消灯させたままにしてもよい。
【０１６４】
一方、ステップＳ４８において、使用者認証状態継続要求ボタン６５が押下されなかったと判定された場合、処理はステップＳ４５に進み、使用者認証部６３は、使用者認証の結果を無効にする。より具体的には、使用者認証部６３は、使用者認証情報記録領域８３の使用者認証フラグがオンとされていた場合、使用者認証フラグをオフにするとともに、使用者認証状況表示LED６４に消灯の指示を供給し、処理はステップＳ３１に戻る。
【０１６５】
また、ステップＳ４５において、使用者認証情報記録領域８３の使用者認証フラグがオフとされていた場合には、使用者認証部６３は、使用者認証フラグをオフのまま、使用者認証状況表示LED６４を消灯のままとして、処理はステップＳ３１に戻る。
【０１６６】
このように、記録メディア４２に記録されたデータは、データ保持レベルテーブル８４において対応付けられている、記録メディア４２の位置を含む領域と、使用者の認証の成否とに応じて、データへのアクセスが制限され、そのレベルは、適宜自由に設定できるので、記録メディア４２に記録されたデータの秘匿性・安全性をより高めることができる。
【０１６７】
なお、上述した説明では、データの使用制限の対象は、記録部６１のデータ記録領域８１に記録されている個々のデータとしたが、記録部６１のデータ記録領域８１におけるデータ全体であってもよいし、複数のデータが含まれるフォルダや、ファイルであってもよい。
【０１６８】
また、上述した説明において、記録メディア４２におけるデータの使用制限の処理は、記録メディア４２がビデオカメラ１１との通信が可能な状態で実行されるようにしたが、記録メディア４２が専用のアプリケーションがインストールされたパーソナルコンピュータなどに接続され、そのパーソナルコンピュータとの通信が可能な状態で実行されてもよい。
【０１６９】
ここで、記録メディア４２は、位置検出の機能を有する。したがって、使用者認証の方法として、位置検出の機能を応用することができる。
【０１７０】
以下、位置検出の機能を有する記録メディア４２の、移動の軌跡による使用者認証の処理について説明する。
【０１７１】
図１１は、位置検出により使用者認証を行うことができる記録メディア４２の他の構成例を示すブロック図である。
【０１７２】
図１１において、記録メディア４２は、通信方法選択スイッチ５１、スイッチ制御部５２、装着検出スイッチ５３、第１のアンテナ５４、第２のアンテナ５５、接続端子５６、接続検出部５７、伝送送受信制御部５８、アクセス表示LED（Light Emitting Diode）５９、識別情報記憶部６０、記録部６１、位置検出部６２、使用者認証状況表示LED６４、使用者認証状態継続要求ボタン６５、コントローラ６６、ワークメモリ６７、バス６８、タイマ６９、バッテリ７０、使用者認証情報記憶スイッチ（使用者認証情報記録SW）１７１、使用者認証情報入力スイッチ（使用者認証情報入力SW）１７２、および使用者認証部１７３から構成される。
【０１７３】
また、記録部６１は、データ記録領域８１、位置情報記録領域８２、使用者認証情報記録領域８３、データ保持レベルテーブル８４、および軌跡データ記録領域１８１を含むように構成される。
【０１７４】
なお、図１１において、図２と対応する構成については、同一の符号を付してあり、その説明は適宜省略する。すなわち、図１１においては、使用者認証部６３に代わって使用者認証部１７３が備えられていることと、使用者認証情報記録SW１７１、使用者認証情報入力SW１７２、および軌跡データ記録領域１８１がさらに備えられていること以外は、基本的に図２を用いて説明した場合と同様の構成を有している。
【０１７５】
使用者認証情報記録SW１７１が、使用者に押下された期間において、一定時間ごとに、記録メディア４２の位置が順次、位置検出部６２に検出され、軌跡データ記録領域１８１に記録される。すなわち、使用者認証情報記録SW１７１が使用者に押下された期間における、記録メディア４２の位置の移動の軌跡を表す軌跡データが、軌跡データ記録領域１８１に記録される。
【０１７６】
このとき、軌跡データ記録領域１８１に記録された軌跡データには候補フラグが付与されており、軌跡データ記録領域１８１には、候補フラグが付与された軌跡データが複数記録される。
【０１７７】
使用者は、記録メディア４２をビデオカメラ１１に装着または接続させ、ビデオカメラ１１の図示せぬ操作入力部を操作することによって、記録メディア４２の軌跡データ記録領域１８１に記録されている、候補フラグが付与された複数の軌跡データを、ビデオカメラ１１の表示部４３に表示させる。このとき、使用者認証部１７３は、それぞれの軌跡データを確認した使用者による操作により選択された軌跡データの候補フラグを削除し、標準パターンデータとして、軌跡データ記録領域１８１に記録する。なお、標準パターンデータは、使用者を認証するための使用者情報として用いられ、使用者に選択された軌跡データの候補フラグを削除し、標準パターンデータとして、軌跡データ記録領域１８１に記録することは、図９のステップＳ１２の使用者情報を記録する処理に相当する。
【０１７８】
使用者認証情報入力SW１７２が、使用者に押下された期間において、すなわち、図１０のステップＳ３１に対応する期間において、一定時間ごとに、記録メディア４２の位置が順次、位置検出部６２に検出され、軌跡データ記録領域１８１に記録される。すなわち、使用者認証情報入力SW１７２が使用者に押下された期間における、記録メディア４２の位置の移動の軌跡を表す軌跡データが、入力データとして、軌跡データ記録領域１８１に記録される。
【０１７９】
使用者認証部１７３は、軌跡データ記録領域１８１に記録された標準パターンデータと、入力データとに対してDP（Dynamic Programming）マッチング処理を行い、その結果に基づいて、使用者の認証を行う。
【０１８０】
図１２は、軌跡データ記録領域１８１に記録される標準パターンデータの例を示す図である。
【０１８１】
図１２に示される標準パターンデータは、移動する記録メディア４２において、使用者認証情報記録SW１７１が押下されている期間に、１２のサンプリング点の位置が順次検出され、軌跡データ記録領域１８１に記録されたものである。
【０１８２】
図１３は、軌跡データ記録領域１８１に記録される入力データの例を示す図である。
【０１８３】
図１３に示される入力データは、移動する記録メディア４２において、使用者認証情報入力SW１７２が押下されている期間に、１２のサンプリング点の位置が順次検出され、軌跡データ記録領域１８１に記録されたものである。
【０１８４】
使用者認証部１７３は、図１２で示される標準パターンデータと、図１３で示される入力データとに対してDPマッチング処理を行う。このとき、図１２で示される標準パターンデータと、図１３で示される入力データとは全く同一ではないが、使用者認証部１７３によれば、DPマッチングの処理に基づき、標準パターンデータと入力データとの距離を算出することで、使用者の認証を行うことができる。
【０１８５】
図１４は、図１１で説明した記録メディア４２の使用者認証の処理を説明するフローチャートである。
【０１８６】
ステップＳ１０１において、使用者認証部１７３は、標準パターンデータを、軌跡データ記録領域１８１に記録し、処理はステップＳ１０２に進む。
【０１８７】
すなわち、使用者が、使用者認証情報記録SW１７１を押下し、その押下した状態を維持したまま、記録メディア４２を移動させると、位置検出部６２において、一定時間ごとに、記録メディア４２の位置が検出される。位置検出部６２で検出された記録メディア４２の位置は、順次、バス６８を介して、軌跡データ記録領域１８１に供給され、記録される。
【０１８８】
軌跡データ記録領域１８１において、位置検出部６２で検出された記録メディア４２の位置の記録は、使用者認証情報記録SW１７１が押下された状態となっている間続行され、使用者が使用者認証情報記録SW１７１を開放すると、停止する。これにより、軌跡データ記録領域１８１には、使用者認証情報記録SW１７１が押下されている間の記録メディア４２の位置の軌跡を表す軌跡データが記録される。なお、このとき、軌跡データには、候補フラグが付与される。
【０１８９】
以上のようにして、１以上の軌跡データが、候補フラグとともに、軌跡データ記録領域１８１に記録された後、記録メディア４２が、例えば、ビデオカメラ１１に装着されると、軌跡データ記録領域１８１に記録された１以上の軌跡データが、記録メディア４２からビデオカメラ１１に送信され、表示部４３に表示される。
【０１９０】
そして、使用者が、表示部４３に表示された１以上の軌跡データのうちのいずれか１つを選択するように、図示せぬ操作入力部を操作すると、その操作に対応した操作信号が、ビデオカメラ１１から記録メディア４２に供給される。
【０１９１】
記録メディア４２では、ビデオカメラ１１からの操作信号が、使用者認証部１７３に供給され、使用者認証部１７３は、ビデオカメラ１１からの操作信号に応じて、軌跡データ記録領域１８１に記録された１以上の軌跡データのうちの、使用者によって選択された１つの軌跡データの候補フラグを削除する。
【０１９２】
軌跡データ記録領域１８１に記録された１以上の軌跡データのうちの、候補フラグが付与されていない軌跡データが標準パターンデータとして扱われる。
【０１９３】
ステップＳ１０２において、使用者認証部１７３は、軌跡データ記録領域１８１に記録された標準パターンデータについて、サンプリング点（位置検出を行った点）での速度ベクトルを計算し、処理はステップＳ１０３に進む。
【０１９４】
ステップＳ１０３において、使用者認証部１７３は、時系列で隣接する速度ベクトル間の角度変位を計算し、処理はステップＳ１０４に進む。
【０１９５】
ここで、図１５を用いて、角度変位について説明する。
【０１９６】
図１５に示されるように、ある時刻に検出された記録メディア４２の位置の速度ベクトルをV1とするとともに、次の時刻に検出された速度ベクトルをV2とする場合、速度ベクトルV2を、速度ベクトルV1と速度ベクトルV2の始点が一致するように移動したときに、速度ベクトルV1と速度ベクトルV2の成す角度が、角度変位ｘである。
【０１９７】
図１４に戻る。ここで、ステップＳ１０１乃至ステップＳ１０３の処理は、少なくとも１度行えばよく、１度行った後は、スキップすることができる。すなわち、ステップＳ１０１乃至ステップＳ１０３の処理は、新たな標準パターンデータを軌跡データ記録領域１８１に記録するときや、軌跡データ記録領域１８１に記録された標準パターンデータを変更するとき等に行えばよい。
【０１９８】
ステップＳ１０４において、位置検出部６２は、使用者認証情報入力SW１７２が押下されているかを判定する。使用者認証情報入力SW１７２が押下されていないと判定された場合、ステップＳ１０４の処理を繰り返す。
【０１９９】
ステップＳ１０４において、使用者認証情報入力SW１７２が押下されていると判定された場合、処理はステップＳ１０５に進み、位置検出部６２は、検出している記録メディア４２の位置を、入力データとして、軌跡データ記録領域１８１に供給して記録させ、処理はステップＳ１０６に進む。この入力データは、使用者認証情報入力SW１７２が押下されてから検出された１番目の位置を示すものである。
【０２００】
ステップＳ１０６において、位置検出部６２は、使用者認証情報入力SW１７２が押下されているかを判定する。ステップＳ１０４から継続して使用者認証情報入力SW１７２が押下されている場合、処理は、ステップＳ１０６からステップＳ１０７に進み、位置検出部６２は、前回の記録メディア４２の位置の記録（検出）から、一定時間が経過したかを判定する。一定時間が経過していない場合、ステップＳ１０７は、一定時間が経過するまで繰り返される。
【０２０１】
ステップＳ１０７において、一定時間が経過したと判定された場合、位置検出部６２は、検出している記録メディア４２の位置を、入力データとして、軌跡データ記録領域１８１に供給し記録させ、処理はステップＳ１０６に戻る。
【０２０２】
一方、ステップＳ１０６において、使用者認証情報入力SW１７２が押下されていないと判定された場合、処理はステップＳ１０９に進む。
【０２０３】
ステップＳ１０９において、使用者認証部１７３は、使用者認証情報入力SW１７２が押下されている間に入力された入力データについて、各サンプリング点での速度ベクトルを計算し、処理はステップＳ１１０に進む。
【０２０４】
ステップＳ１１０において、使用者認証部１７３は、図１５で示したように、時系列で隣接する速度ベクトル間の角度変位を計算し、処理はステップＳ１１１に進む。
【０２０５】
ステップＳ１１１において、使用者認証部１７３は、入力データについての角度変位の最初の要素を指定し、処理はステップ１１２に進む。
【０２０６】
ステップＳ１１２において、使用者認証部１７３は、入力データについての角度変位の最初の要素と、標準パターンデータについての角度変位の最初の要素との間でDPマッチング処理を行い、処理はステップＳ１１３に進む。
【０２０７】
ステップＳ１１３において、使用者認証部１７３は、ステップＳ１１２においてDPマッチングの処理を行った入力データが、最後の要素であるかを判定する。最後の要素でない場合、処理はステップＳ１１２に戻り、入力データについての角度変位および標準パターンデータについての角度変位それぞれの２番目の要素に対して、DPマッチングの処理を行う。以降、３番目の要素、４番目の要素、…、最後の要素に対して、DPマッチングの処理が行われる。
【０２０８】
DPマッチング処理において、標準パターンデータと入力パターンデータとの間の距離を計算するための２次元配列をｇ(ｉ，ｊ)（ｉ：入力データについての角度変位の要素、ｊ：標準パターンデータについての角度変位の要素）で表し、角度変位の要素ｉと角度変位の要素ｊとの間の差分の絶対値をｄ(ｉ，ｊ)で表した場合、２次元配列ｇ(ｉ，ｊ)は、一般的な漸化式を用いて、
g(i,j)=min(g(i-1,j)+d(i,j),g(i-1,j-1)+2d(i,j),g(i,j-1)+d(i,j))
として計算されるが、ステップＳ１１２におけるDPマッチング処理においては、差分ｄ(ｉ，ｊ)について補正量Δを導入し、差分ｄ(ｉ，ｊ)を、その補正量Δを用いた表現であるｍｉｎ(ｄ(ｉ，ｊ)−Δ，ｄ(ｉ，ｊ))に置き換えて計算する。
【０２０９】
補正量Δは、入力データの速度ベクトルと標準パターンデータの速度ベクトルとの差が大きいほどブレ量が大きくなり、パターン間の正確な一致が難しくなるため、入力データの角度変位と標準パターンデータの角度変位との間に生じる多少のブレを吸収・補正するために導入したものである。
【０２１０】
図１６は、補正量Δだけ減算された角度変位ｘ−Δを示す図である。
【０２１１】
ここでは、補正量Δを、速度ベクトルV1，V2の大きさの差分の絶対値に係数値αを乗じたΔ＝α*|(|V2|-|V1|)|とする。係数値αは、大きすぎると、認証のためのデータとしては不適切になるので、適切な値となるように任意に設定可能とする。
【０２１２】
なお、このような補正を行うことで、標準パターンデータと入力データとの間の距離がかえって大きくなる場合には、その補正を行う必要はない。そこで、差分ｄ(ｉ，ｊ)については、補正量Δによる補正を行わない場合と、補正を行う場合とのうちの小さいほう（最小値）を適用するように、差分ｄ(ｉ，ｊ)を、ｍｉｎ(ｄ(ｉ，ｊ)−Δ，ｄ(ｉ，ｊ))に置き換えて計算する。
【０２１３】
これにより、２次元配列ｇ(ｉ，ｊ)を計算するための漸化式は、
g(i,j)=min(g(i-1,j)+min(d(i,j)-Δ,d(i,j)),g(i-1,j-1)+2*min(d(i,j)-Δ,d(i,j)),g(i,j-1)+min(d(i,j)-Δ,d(i,j)))
となる。
【０２１４】
図１４に戻り、ステップＳ１１３において、ステップＳ１１２においてDPマッチングの処理を行った入力データが、最後の要素であると判定された場合、処理はステップＳ１１４に進む。
【０２１５】
ステップＳ１１４において、使用者認証部１７３は、標準パターンデータと入力データとの距離を計算し、処理はステップＳ１１５に進む。
【０２１６】
ステップＳ１１５において、使用者認証部１７３は、予め設定された認証条件を満たすか否かを判定する。より具体的には、標準パターンデータと入力データとの距離が、予め設定した閾値以下であるか否かを判定する。
【０２１７】
ステップＳ１１５において、標準パターンデータと入力データとの距離が、予め設定した閾値以下であると判定された場合、使用者の認証は成功とし、処理は終了する。一方、標準パターンデータと入力データとの距離が、予め設定した閾値以下でないと判定された場合、使用者の認証は失敗とし、処理は終了する。
【０２１８】
このように、記録メディア４２の位置を移動するだけで、その記録メディア４２の使用者を特定できるので、従来のように、パスワードを入力したり、指紋を認証するための画像を取得するためのインターフェースを必要としたりせず、簡便な認証を行うことができる。
【０２１９】
また、上述した説明において、記録メディア４２の使用者認証の処理において、記録メディア４２を、ビデオカメラ１１に装着または接続させることで、表示部４３に表示された複数の軌跡データから標準パターンデータを選択させるようにしたが、記録メディア４２を、専用のアプリケーションがインストールされたパーソナルコンピュータなどに接続させ、キーボードなどの操作入力部が操作されることによって、モニタに表示された複数の軌跡データから標準パターンデータを選択させるようにしてもよい。
【０２２０】
以上のように、記録メディア４２では、記録メディア４２の位置を検出し、データを使用する使用者を認証し、領域を表す領域情報、および認証の成否と、データへの使用の制限の度合いを表すデータ保持レベルとが対応付けられているデータ保持レベルテーブル８４を記録し、データ保持レベルテーブル８４において、位置検出部６２が検出した位置を含む領域情報、および使用者認証部６３の認証結果に対応付けられているデータ保持レベルに基づいて、使用者によるデータの使用の制限を制御するので、記録メディア４２に記録されたデータの秘匿性・安全性をより高めることができる。
【０２２１】
以上においては、本発明をビデオカメラ１１に装着または接続される記録メディア４２に適用した実施の形態について説明したが、本発明は、デジタルカメラなどの撮像装置、パーソナルコンピュータなどの情報処理装置に接続される記録メディアや、PDA（Personal Digital Assistant）、携帯電話機などの携帯型端末装置に設けられる記録メディアなどに適用することができる。
【０２２２】
上述したデータ使用制限処理などの一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０２２３】
図１７は、上述した一連の処理をプログラムにより実行するコンピュータのハードウェアの構成例を示すブロック図である。
【０２２４】
コンピュータにおいて、CPU（Central Processing Unit）２０１，ROM（Read Only Memory）２０２，RAM（Random Access Memory）２０３は、バス２０４により相互に接続されている。
【０２２５】
バス２０４には、さらに、入出力インターフェース２０５が接続されている。入出力インターフェース２０５には、キーボード、マウス、マイクロホンなどよりなる入力部２０６、ディスプレイ、スピーカなどよりなる出力部２０７、記録部６１に対応する、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【０２２６】
以上のように構成されるコンピュータでは、CPU２０１が、例えば、記憶部２０８に記憶されているプログラムを、入出力インターフェース２０５およびバス２０４を介して、RAM２０３にロードして実行することにより、上述した一連の処理が行われる。
【０２２７】
コンピュータ（CPU２０１）が実行するプログラムは、例えば、磁気ディスク（フレキシブルディスクを含む）、光ディスク（CD-ROM(Compact Disc-Read Only Memory),DVD(Digital Versatile Disc)など）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【０２２８】
そして、プログラムは、リムーバブルメディア２１１をドライブ２１０に装着することにより、入出力インターフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０２２９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２３０】
また、本発明の実施の形態は、上述した実施の形態に限定されるものではなく、本発明の要旨を逸脱しない範囲において種々の変更が可能である。
【図面の簡単な説明】
【０２３１】
【図１】本発明を適用したビデオカメラの一実施の形態の構成例を示すブロック図である。
【図２】記録メディアの構成例を示すブロック図である。
【図３】位置検出部を構成するGPS通信部の構成例を示すブロック図である。
【図４】位置検出部を構成するUWB通信部の構成例を示すブロック図である。
【図５】位置検出部を構成する通信部の構成例を示すブロック図である。
【図６】UWB通信を用いた、記録メディアの位置の検出について説明する図である。
【図７】使用者が記録メディアを使用するビルの１フロアの間取り図の一例である。
【図８】データ保持レベルテーブルの例を示す図である。
【図９】記録メディアの初期化の処理を説明するフローチャートである。
【図１０】データの使用制限の処理を説明するフローチャートである。
【図１１】記録メディアの他の構成例を示すブロック図である。
【図１２】軌跡データ記録領域に記録される標準パターンデータの例を示す図である。
【図１３】軌跡データ記録領域に記録される入力データの例を示す図である。
【図１４】図１１で説明した記録メディアの使用者認証の処理を説明するフローチャートである。
【図１５】角度変位について説明する図である。
【図１６】角度変位の補正量について説明する図である。
【図１７】本発明が適用される情報処理装置として機能するコンピュータのハードウェアの構成例を示すブロック図である。
【符号の説明】
【０２３２】
１１  ビデオカメラ，  ３１  撮像素子，  ３２  画像データ処理部，  ３３  伝送送受信制御部，  ３４  通信方法選択スイッチ，  ３５  スイッチ制御部，  ３６  第１のアンテナ，  ３７  メディア装着部，  ３８  メディア検出部，  ３９  第２のアンテナ，  ４０  接続端子，  ４１  接続検出部，  ４２  記録メディア，  ４３  表示部，  ４４  データ入力部，  ５１  通信方法選択スイッチ，  ５２  スイッチ制御部，  ５３  装着検出スイッチ，  ５４  第１のアンテナ，  ５５  第２のアンテナ，  ５６  接続端子，  ５７  接続検出部，  ５８  伝送送受信制御部，  ５９  アクセス表示LED，  ６０  識別情報記憶部，  ６１  記録部，  ６２  位置検出部，  ６３  使用者認証部，  ６４  使用者認証状況表示LED，  ６５  使用者認証状態継続要求ボタン，  ６６  コントローラ，  ６７  ワークメモリ，  ６８  バス，  ６９  タイマ，  ７０  バッテリ，  ８１  データ記録領域，  ８２  位置情報記録領域，  ８３  使用者認証情報記録領域，  ８４  データ保持レベルテーブル，  １７１  使用者認証情報記録SW，  １７２  使用者認証情報入力SW，  １７３  使用者認証部，  １８１  軌跡データ記録領域，  ２０１  CPU，  ２０２  ROM，  ２０３  RAM，  ２０８  記憶部，  ２１１  リムーバブルメディア
【図１】
2009093449.tif 000003
【図２】
2009093449.tif 000004
【図３】
2009093449.tif 000005
【図４】
2009093449.tif 000006
【図５】
2009093449.tif 000007
【図６】
2009093449.tif 000008
【図７】
2009093449.tif 000009
【図８】
2009093449.tif 000010
【図９】
2009093449.tif 000011
【図１０】
2009093449.tif 000012
【図１１】
2009093449.tif 000013
【図１２】
2009093449.tif 000014
【図１３】
2009093449.tif 000015
【図１４】
2009093449.tif 000016
【図１５】
2009093449.tif 000017
【図１６】
2009093449.tif 000018
【図１７】
2009093449.tif 000019
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
情報処理装置から供給されたデータを記録する記録メディアにおいて、
前記記録メディアの位置を検出する位置検出手段と、
前記データを使用する使用者を認証する使用者認証手段と、
前記使用者による前記データの使用の制限に関するデータ使用制限関連情報を記録する記録手段と、
前記データ使用制限関連情報に基づいて、前記使用者による前記データの使用の制限を制御するデータ使用制限制御手段と
を備える記録メディア。
【請求項２】
前記データ使用制限関連情報は、領域を表す領域情報、および認証の成否と、前記データへの使用の制限の度合いを表すデータ使用制限レベルとが対応付けられてなる情報である
請求項１に記載の記録メディア。
【請求項３】
前記データ使用制限制御手段は、前記データ使用制限関連情報において、前記位置検出手段が検出した位置を含む前記領域情報、および前記使用者認証手段の認証結果に対応付けられている前記データ使用制限レベルに基づいて、前記使用者による前記データの使用の制限を制御する
請求項２に記載の記録メディア。
【請求項４】
前記データ使用制限関連情報は、前記データ単位、または複数の前記データを含むフォルダ単位で記録される
請求項１に記載の記録メディア。
【請求項５】
前記データ使用制限レベルには、
前記データの記録、再生、および編集が可能なレベルと、
前記データの再生のみが可能なレベルと、
前記データの記録、再生、および編集のいずれも不可能なレベルと、
前記データの削除がされるレベルと
が含まれる
請求項２に記載の記録メディア。
【請求項６】
情報処理装置から供給されたデータを記録する記録メディアにおけるデータ使用制限方法において、
前記記録メディアの位置を検出し、
前記データを使用する使用者を認証し、
前記使用者による前記データの使用の制限に関するデータ使用制限関連情報を記録し、
前記データ使用制限関連情報に基づいて、前記使用者による前記データの使用の制限を制御する
ステップを含むデータ使用制限方法。
【請求項７】
情報処理装置から供給されたデータを記録する記録メディアとして、コンピュータを機能させるプログラムにおいて、
前記記録メディアの位置を検出する位置検出手段と、
前記データを使用する使用者を認証する使用者認証手段と、
前記使用者による前記データの使用の制限に関するデータ使用制限関連情報を記録する記録手段と、
前記データ使用制限関連情報に基づいて、前記使用者による前記データの使用の制限を制御するデータ使用制限制御手段
として、コンピュータを機能させるプログラム。
【手続補正２】
【補正対象書類名】明細書
【補正対象項目名】０００８
【補正方法】変更
【補正の内容】
【０００８】
本発明の一側面の記録メディア、またはプログラムは、情報処理装置から供給されたデータを記録する記録メディアであって、前記記録メディアの位置を検出する位置検出手段と、前記使用者による前記データの使用の制限に関するデータ使用制限関連情報を記録する記録手段と、前記データ使用制限関連情報に基づいて、前記使用者による前記データの使用の制限を制御するデータ使用制限制御手段とを備える記録メディア、または記録メディアとして、コンピュータを機能させるプログラムである。
前記データ使用制限関連情報は、領域を表す領域情報、および認証の成否と、前記データへの使用の制限の度合いを表すデータ使用制限レベルとが対応付けられてなる情報とすることができる。
前記データ使用制限制御手段には、前記データ使用制限関連情報において、前記位置検出手段が検出した位置を含む前記領域情報、および前記使用者認証手段の認証結果に対応付けられている前記データ使用制限レベルに基づいて、前記使用者による前記データの使用の制限を制御させることができる。
【手続補正３】
【補正対象書類名】明細書
【補正対象項目名】０００９
【補正方法】変更
【補正の内容】
【０００９】
前記記録メディアにおいて、前記データ使用制限関連情報は、前記データ単位、または複数の前記データを含むフォルダ単位で記録されるようにすることができる。
【手続補正４】
【補正対象書類名】明細書
【補正対象項目名】００１１
【補正方法】変更
【補正の内容】
【００１１】
本発明の一側面のデータ使用制限方法は、情報処理装置から供給されたデータを記録する記録メディアにおけるデータ使用制限方法であって、前記記録メディアの位置を検出し、前記データを使用する使用者を認証し、前記使用者による前記データの使用の制限に関するデータ使用制限関連情報を記録し、前記データ使用制限関連情報に基づいて、前記使用者による前記データの使用の制限を制御するステップを含む。
【手続補正５】
【補正対象書類名】明細書
【補正対象項目名】００１２
【補正方法】変更
【補正の内容】
【００１２】
本発明の一側面においては、記録メディアの位置が検出され、使用者によるデータの使用の制限に関するデータ使用制限関連情報が記録され、データ使用制限関連情報に基づいて、使用者によるデータの使用の制限が制御される。
【手続補正６】
【補正対象書類名】明細書
【補正対象項目名】００１５
【補正方法】変更
【補正の内容】
【００１５】
本発明の一側面の記録メディア、またはプログラムは、情報処理装置から供給されたデータを記録する記録メディアであって、前記記録メディアの位置を検出する位置検出手段（例えば、図２の位置検出部）と、前記データを使用する使用者を認証する使用者認証手段（例えば、図２の使用者認証部６３）と、前記使用者による前記データの使用の制限に関するデータ使用制限関連情報を記録する記録手段（例えば、図２の記録部６１）と、前記データ使用制限関連情報に基づいて、前記使用者による前記データの使用の制限を制御するデータ使用制限制御手段（例えば、図２のコントローラ６６）とを備える記録メディア（例えば、図２の記録メディア４２）、または記録メディアとして、コンピュータを機能させるプログラムである。
【手続補正７】
【補正対象書類名】明細書
【補正対象項目名】００１６
【補正方法】変更
【補正の内容】
【００１６】
本発明の一側面のデータ使用制限方法は、情報処理装置から供給されたデータを記録する記録メディアにおけるデータ使用制限方法であって、前記記録メディアの位置を検出し（例えば、図１０のステップＳ３３）、前記データを使用する使用者を認証し（例えば、図１０のステップＳ３２）、前記使用者による前記データの使用の制限に関するデータ使用制限関連情報を記録し、前記データ使用制限関連情報に基づいて、前記使用者による前記データの使用の制限を制御するステップ（例えば、図１０のステップＳ３５、ステップＳ３８、ステップＳ４０、およびステップＳ４２）を含む。